(57)【要約】      （修正有）【課題】使用者が風の質を可変にできる送風装置を提供することを目的とする。【解決手段】１本もしくは複数のダクト３で、高圧空気を吹出すための一列のスリットを備えた第一ノズル１３、第二ノズル１４、第三ノズル１５および第四ノズル１６を並べて構成し、第一ノズルと第二ノズルは、装置の中心軸１８に対して対称に内側に配置され、前記第一ノズルと第二ノズルの外側には、第三ノズルおよび第四ノズルを配置され、前記第三ノズルは、前記装置の中心軸に対して前記第一ノズルの側で、前記第一ノズルと平行に吹出すように配置され、前記第四ノズルは、装置の中心軸に対して前記第二ノズルの側で、前記第二ノズルと平行に吹出すように配置され、この４種のうち、高圧空気を吹出すノズルを選択することにより、使用者が風の質（風速の時間変動や受風域）を可変にできる。【選択図】図１
2018053764.tif 000002
【特許請求の範囲】
【請求項１】
内部に羽根車と電動機を備えて高圧空気を発生する高圧空気発生部と、前記高圧空気発生部に接続した１本もしくは複数のダクトを備え、前記１本もしくは複数のダクトで、前記高圧空気を吹出すための一列のスリットを備えた第一ノズル、第二ノズル、第三ノズルおよび第四ノズルを並べて構成し、前記第一ノズルと第二ノズルおよび第三ノズルと第四ノズルは、それぞれ装置の正面視における中心軸に対して対称に配置し、前記第一ノズルと第二ノズルは、前記中心軸に近い内側で、前方方向にかつ互いに外向きに、高圧空気を吹出すように吹出角度を有し、前記第三ノズルと第四ノズルは、前記中心軸に対して前記第一ノズルと第二ノズルよりも外側に配置され、前記第三ノズルは、前記中心軸に対して前記第一ノズルと同じ側で、前記第一ノズルと平行に吹出すように配置され、前記第四ノズルは、前記中心軸に対して前記第二ノズルと同じ側で、前記第二ノズルと平行に吹出すように配置され、前記第三ノズルのスリットは、前記第二ノズルのスリットと交互に配置され、前記第四ノズルのスリットは、前記第一ノズルのスリットと交互に配置され、前記第一ノズルと前記第二ノズルと前記第三ノズルと前記第四ノズルのうち、高圧空気を吹出すノズルを選択する風質可変手段を備えていることを特徴とする送風装置。
【発明の詳細な説明】
【技術分野】
【０００１】
本発明は、例えば、送風により使用者へ清涼感を与えたり空間内の空気循環を促したりする送風装置に関するものである。
【背景技術】
【０００２】
従来、この種の送風装置は、羽根車とモータを台座となる基部に内包して、基部上部に備えられた円環形状の送風部から床面に対して水平方向に吹出して空気の循環及び空気の流れを生じさせていた（例えば、特許文献１参照）。
【０００３】
以下、その送風装置について図７および図８を参照しながら説明する。
【０００４】
図７は、送風機組立体１００をその正面から見た状態で示している。
【０００５】
送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザー１３２が、インペラ１３０の下流側に位置決めされている。モータ１２２は、電気接続部及び電源に接続されている。ユーザは、複数個の選択ボタン１２０により、送風機組立体１００を操作することができる。
【０００６】
上記構成において、送風機組立体１００は、以下のように動作する。ユーザが複数個の選択ボタン１２０の中から好みのボタンを選択するとモータ１２２が起動され、空気が空気入口１２４を介して送風機組立体１００内に吸い込まれる。図８において、空気は、外側ケーシング１１８を通り、インペラ１３０の入口１３４まで流れる。ディフューザー１３２の出口及びインペラ１３０の排気部を出た空気流は、内部通路１１０を通って互いに逆の方向に進む２つの空気流に分けられる。空気流は、口１１２に入る際に絞られ、口１１２の出口１４４で更に絞られる。この二回の絞りにより、システム中に圧力が生じる。このように作られた空気流は、一次空気流として出口１４４を通って出る。一次空気流は、ガイド部分１４８の形状により、ユーザに向かって集中又は集束して向けられる。一次空気流が発生すると、外部環境、特に出口１４４周りの領域及び環状ノズル１０１の外縁部周りからの空気の吸引気流が生じる。この二次空気流は、中央開口部１０２を通り、ここで、一次空気流と混ざり合って送風機組立体１００から前方に放出される全空気流が生じる。
【先行技術文献】
【特許文献】
【０００７】
【特許文献１】特開２０１０−０７７９６９号公報
【発明の概要】
【発明が解決しようとする課題】
【０００８】
このような従来の送風装置では、吹出す風の質が固定されたものであり、使用者がその時々に望む風の質に変更できないという課題があった。ここでの風の質とは、風速の時間変動を大きくして強い涼感を使用者へ提供する冷風と、風速の時間変動を小さくして弱い涼感を使用者へ提供する弱冷風の度合いを可変することを指す。
【０００９】
そこで本発明は、上記従来の課題を解決するものであり、使用者が風の質を可変にできる送風装置を提供することを目的とする。
【課題を解決するための手段】
【００１０】
本発明は、内部に羽根車と電動機を備えて高圧空気を発生する高圧空気発生部と、前記高圧空気発生部に接続した１本もしくは複数のダクトを備え、前記１本もしくは複数のダクトで、前記高圧空気を吹出すための一列のスリットを備えた第一ノズル、第二ノズル、第三ノズルおよび第四ノズルを並べて構成し、前記第一ノズルと第二ノズルおよび第三ノズルと第四ノズルは、それぞれ装置の正面視における中心軸に対して対称に配置し、前記第一ノズルと第二ノズルは、前記中心軸に近い内側で、前方方向にかつ互いに外向きに、高圧空気を吹出すように吹出角度を有し、前記第三ノズルと第四ノズルは、前記中心軸に対して前記第一ノズルと第二ノズルよりも外側に配置され、前記第三ノズルは、前記中心軸に対して前記第一ノズルと同じ側で、前記第一ノズルと平行に吹出すように配置され、前記第四ノズルは、前記中心軸に対して前記第二ノズルと同じ側で、前記第二ノズルと平行に吹出すように配置され、前記第三ノズルのスリットは、前記第二ノズルのスリットと交互に配置され、前記第四ノズルのスリットは、前記第一ノズルのスリットと交互に配置され、前記第一ノズルと前記第二ノズルと前記第三ノズルと前記第四ノズルのうち、高圧空気を吹出すノズルを選択する風質可変手段を備えていることを特徴とする送風装置であり、これにより所期の目的を達成するものである。
【発明の効果】
【００１１】
本発明によれば、風質可変手段によって各ノズルが吹出す高圧空気の風量比を調節することで冷風と弱冷風の度合いを調節することとなり、使用者が好みに応じて風質を調節できる送風装置を提供することができる。
【図面の簡単な説明】
【００１２】
【図１】本発明の実施の形態１の送風装置を示す斜視図
【図２】同実施の形態１の送風装置の図１におけるＡ部分拡大図
【図３】同実施の形態１の送風装置の回転ダンパが閉塞するダクト内連通口を変えた場合のＢ部分断面図（（ａ）第一ノズルおよび第二ノズルから高圧空気を吹出す場合の図、（ｂ）第一ノズル、第二ノズル、第三ノズルおよび第四ノズルから高圧空気を吹出す場合の図）
【図４】同実施の形態１の送風装置の第一ノズルおよび第二ノズルから高圧空気を吹出す場合の気流を模式した斜視図
【図５】同実施の形態１の送風装置の第一ノズルおよび第二ノズルから高圧空気を吹出す場合の気流を模式した上面図
【図６】同実施の形態１の送風装置の第一ノズル、第二ノズル、第三ノズルおよび第四ノズルから高圧空気を吹出す場合の気流を模式した上面図
【図７】従来技術の一例を示す斜視図
【図８】従来技術の一例を示す断面図
【発明を実施するための形態】
【００１３】
本発明の請求項１に関わる送風装置は、内部に羽根車と電動機を備えて高圧空気を発生する高圧空気発生部と、前記高圧空気発生部に接続した１本もしくは複数のダクトを備え、前記１本もしくは複数のダクトで、前記高圧空気を吹出すための一列のスリットを備えた第一ノズル、第二ノズル、第三ノズルおよび第四ノズルを並べて構成し、前記第一ノズルと第二ノズルおよび第三ノズルと第四ノズルは、それぞれ装置の正面視における中心軸に対して対称に配置し、前記第一ノズルと第二ノズルは、前記中心軸に近い内側で、前方方向にかつ互いに外向きに、高圧空気を吹出すように吹出角度を有し、前記第三ノズルと第四ノズルは、前記中心軸に対して前記第一ノズルと第二ノズルよりも外側に配置され、前記第三ノズルは、前記中心軸に対して前記第一ノズルと同じ側で、前記第一ノズルと平行に吹出すように配置され、前記第四ノズルは、前記中心軸に対して前記第二ノズルと同じ側で、前記第二ノズルと平行に吹出すように配置され、前記第三ノズルのスリットは、前記第二ノズルのスリットと交互に配置され、前記第四ノズルのスリットは、前記第一ノズルのスリットと交互に配置され、前記第一ノズルと前記第二ノズルと前記第三ノズルと前記第四ノズルのうち、高圧空気を吹出すノズルを選択する風質可変手段を備えているものである。
【００１４】
これにより、風質可変手段によって高圧空気を吹出すノズルを選択することで、冷風と弱冷風の度合いを調節することが可能になり、使用者が好みに応じて風質を調節することが可能になる。
【００１５】
すなわち、第一ノズルおよび第二ノズルのみから高圧空気を吹出すように設定した場合、第一ノズルおよび第二ノズルそれぞれから吹出された複数の高圧気流は、隣接する高圧気流が存在するゆえに集まりにくくなることで、広範囲の受風域を形成することができる。しかし、第一ノズルおよび第二ノズルから吹出された高圧空気は、各ノズルに設けられた吹出角度よりも外側の領域には流れないため、吹出角度に依存する範囲にしか受風域を形成することができない。このとき、吹出しに使用されるノズルは、第一ノズルと第二ノズルのみであるゆえ、高圧空気の吹出面積は小さくなり、各ノズルから吹出す高圧空気の平均風速は高くなる。
【００１６】
その一方で、第一ノズルおよび第二ノズルと第三ノズルに加えて第四ノズルの全てのノズルからも高圧空気を吹出すように設定した場合、第一ノズルおよび第二ノズルから吹出された高圧気流は、それぞれ第三ノズルおよび第四ノズルから吹出された高圧気流に誘引されることになる。そのため、第一ノズルおよび第二ノズルから吹出された高圧気流は、第一ノズルおよび第二ノズルそれぞれに設けられた吹出角度よりも外側の領域に流れることになる。その結果、より広い受風域を形成することが可能になる。
【００１７】
また、このとき、吹出しに使用されるノズルは、第一ノズルと第二ノズルと第三ノズルおよび第四ノズルの全てであるゆえ、高圧空気の吹出面積は、第一ノズルと第二ノズルだけを使用した場合に比べて大きくなり、各ノズルから吹出す高圧空気の平均風速は低くなる。
【００１８】
空気という流体の粘性の性質から、ノズルから吹出された高圧空気周辺の空気は、その高圧空気に誘引されるものであるが、高圧空気の風速と比較して低い風速を有して流れることとなる。
【００１９】
その結果、高圧空気が流れる風速の高い領域と誘引空気が流れる風速の低い領域とが隣接するゆえに速度勾配を有する境界領域が形成されることになる。
【００２０】
そのため、ノズルから吹出された高圧空気の風速が高ければ高いほど、この境界領域の速度勾配も大きくなる。そして、速度勾配が大きくなればなるほど、高い風速が流れている領域から低い風速が流れている領域に向けて流れる微小の渦が形成される流れ、つまり乱流の程度がより強くなる。乱流は、一様な風速が流れている層流と比較して、微小擾乱に対して不安定であるゆえ、風速の時間変動が大きい。
【００２１】
つまり、高圧空気の風速が高ければ高いほど、風速の時間変動量が大きくなる。
【００２２】
この現象によって、第一ノズルおよび第二ノズルのみから高圧空気を吹出すように設定した場合は、各ノズルから吹出す高圧空気の平均風速が高くなるため、風速の時間変動が大きく強い涼感を提供する受風域が狭い冷風を創出することが可能になる。
【００２３】
その一方で、第一ノズルおよび第二ノズルに加えて第三ノズルおよび第四ノズルからも高圧空気を吹出すように設定した場合は、各ノズルから吹出す高圧空気の平均風速が低くなるため、風速の時間変動が小さく低い涼感を提供する受風域が広い弱冷風を創出することが可能になる。
【００２４】
以下、添付図面を参照して、本発明の実施の形態について説明する。なお、以下の実施の形態は、本発明を具体化した一例であって、本発明の技術的範囲を限定する性格のものではない。また、重複を避けるため、全図面を通して、同一の部位については同一の符号を付して二度目以降の説明を省略している。
【００２５】
（実施の形態１）
以下、本発明の実施の形態１について、図１から図６を参照しながらその構成の詳細を説明する。
【００２６】
図１に示すように、送風装置１は、箱体の高圧空気発生部２と３本のダクト３（１本もしくは複数のダクトの一実施形態）と高圧空気発生部２および３本のダクト３それぞれの片側端部とを接続する箱体の接続路４とから構成されている。
【００２７】
高圧空気発生部２は、吸込口５と羽根車６と電動機７を備えている。吸込口５は、高圧空気発生部２の一側面において矩形状に形成されており、羽根車６は、高圧空気発生部２の内部において電動機７の回転軸に接続されている。
【００２８】
３本のダクト３は、中心ダクト８、左方ダクト９および右方ダクト１０から構成され、いずれのダクトも接続路４の一側面で互いに空間を有して並列に配置されている。一例として図１のように、高圧空気発生部２の天面に接続路４を配置し、３本のダクト３は、接続路４の一側面である天面から上方（図１の中心軸１８の方向）へ向けて配設している。
【００２９】
中心ダクト８には、高圧気流を吹出すスリット１１（短手方向の幅５．５ｍｍ、図示せず）を一列に４個配置した第一ノズル１３および第二ノズル１４が、それぞれ送風装置１の設置面１２に対して垂直にして設けられている。
【００３０】
左方ダクト９には、高圧気流を吹出すスリット１１（短手方向の幅５．５ｍｍ、図示せず）を一列に４個配置した第三ノズル１５が、送風装置１の設置面１２に対して垂直にして設けられている。
【００３１】
同様に右方ダクト１０には、高圧気流を吹出すスリット１１（短手方向の幅５．５ｍｍ、図示せず）一列に４個配置した第四ノズル１６が、送風装置１の設置面１２に対して垂直にして設けられている。
【００３２】
図２に示すように、第一ノズル１３と第二ノズル１４および第三ノズル１５と第四ノズル１６は、それぞれ送風装置１の正面視における中心軸１８に対して対称に配置している。
第一ノズル１３と第二ノズル１４は、中心軸１８に近い内側で、前方方向にかつ互いに外向きに、高圧空気を吹出すように吹出角度１７（図５に示す）を有し、第三ノズル１５と第四ノズル１４は、中心軸１８に対して第一ノズル１３と第二ノズル１４よりも外側に配置されている。また、第三ノズル１５は、中心軸１８に対して第一ノズル１３と同じ側で、第一ノズル１３と平行に吹出すように配置されている。同様に、第四ノズル１６は、中心軸１８に対して第二ノズル１４と同じ側で、第二ノズル１４と平行に吹出すように配置されている。
【００３３】
すなわち、図５に示す平面視では、第一ノズル１３と第二ノズル１４は、送風装置１の中心軸１８を含む直線１８ａに対して対称に配置され、第三ノズル１５と第四ノズル１６は、第一ノズル１３と第二ノズル１４の外側にそれぞれ配置されている。また、第三ノズル１５は、送風装置１の直線１８ａに対して第一ノズル１３と同じ側で、第一ノズル１３と平行に吹出すように配置されている。同様に、第四ノズル１６は、送風装置１の直線１８ａに対して第二ノズル１４と同じ側で、第二ノズル１４と平行に吹出すように配置されている。
【００３４】
また、第三ノズル１５のスリット１１は、第二ノズル１４のスリット１１に対して交互に配置されている。同様に、第四ノズル１６のスリットは、第一ノズル１３のスリット１１に対して交互に配置されている。
【００３５】
図１に示すように、３本のダクト３の底面には、３本のダクト３と接続路４とを連通するダクト内連通口１９を有している。そして、送風装置１の内部には、吸込口５と高圧空気発生部２とダクト内連通口１９と第一ノズル１３、第二ノズル１４、第三ノズル１５および第四ノズル１６それぞれとを連通する各風路が形成される。
【００３６】
接続路４は、図３に示すように、高圧空気を吹出すノズルを選択するために、４種のノズルへの送風風量比を調整する風質可変手段２０を備えている。風質可変手段２０は、３本のダクト３のダクト内連通口１９を閉塞するための回転駆動する回転ダンパ２１と、回転ダンパ２１を駆動する駆動電動機２２を備えている。
【００３７】
上記構成において、送風装置１の外部から電源が引き込まれて電動機７に電気が供給されることで、電動機７を稼動して羽根車６を回転させることができる。羽根車６は、吸込口５から取り入れた空気を圧縮して高圧空気を発生させる。そして、高圧空気発生部２によって発生した高圧空気は、接続路４を径由してダクト内連通口１９へ流れる。
【００３８】
ここで、ダクト内連通口１９を閉塞することが可能である回転ダンパ２１の位置によって高圧空気を吹出すノズルを選択することが可能になる。ノズルを選択によって送風装置１が創出する風の質を切り替えることができる。
【００３９】
まず、図３（ａ）に示すように、第一ノズル１３および第二ノズル１４のみから高圧空気を吹出すように設定すると、第一ノズル１３および第二ノズル１４それぞれから吹出された複数の高圧気流３１は、図４に示すように、隣接する高圧気流３１は互いに圧力が高いため集まりにくくなる。
【００４０】
また、図５に示すように、それぞれの高圧気流３１が流れることによって生じる誘引気流３３の発生領域は中心ダクト８の全周に及ぶため、大風量の誘引気流３３を発生させることが可能になる。その結果、広範囲の受風域３２を形成することが可能になる。ただし、第一ノズル１３および第二ノズル１４から吹出された高圧気流３１は、各ノズルに設けられた吹出角度１７の外側領域３４には流れないため、吹出角度１７に依存する受風域３２のみ形成することができる。
【００４１】
また、このとき、吹出しに使用されるノズルは、第一ノズル１３と第二ノズル１４のみであるゆえ、高圧空気の吹出面積は小さくなることとなり、各ノズルから吹出す高圧空気の平均風速が高くなる。
【００４２】
次に、図３（ｂ）に示すように、第一ノズル１３および第二ノズル１４と第三ノズル１５および第四ノズル１６の全てのノズルから高圧空気を吹出すように設定すると、図６に示すように、第一ノズル１３および第二ノズル１４から吹出された高圧気流３１は、それぞれ第三ノズル１５および第四ノズル１６から吹出された高圧気流３１に誘引されることになる。この場合、第一ノズル１３および第二ノズル１４から吹出された高圧気流３１は、第一ノズル１３および第二ノズル１４それぞれに設けられた吹出角度１７の外側領域３４に流れることになる。その結果、第一ノズル１３および第二ノズル１４のみから吹出した場合に比べて、広い受風域３２を形成することができる。
【００４３】
また、このとき、吹出しに使用されるノズルは、第一ノズル１３と第二ノズル１４と第三ノズル１５および第四ノズル１６の全てであるゆえ、高圧空気の吹出面積は大きくなり、各ノズルから吹出す高圧空気の平均風速は低くなる。
【００４４】
空気という流体の粘性の性質から、ノズルから吹出された高圧空気周辺の空気は、その高圧空気に誘引されるものであるが、高圧空気の風速と比較して低い風速を有して流れることとなる。その結果、高圧空気が流れる風速の高い領域と誘引空気が流れる風速の低い領域とが隣接するゆえに速度勾配を有する境界領域が形成される。
【００４５】
そのため、ノズルから吹出された高圧空気の風速が高ければ高いほど、この境界領域の速度勾配も大きくなる。そして、速度勾配が大きくなればなるほど、高い風速が流れている領域から低い風速が流れている領域に向けて流れる微小の渦が形成されて、乱流の程度がより強くなる。乱流は、一様な風速が流れている層流と比較して、微小擾乱に対して不安定であるゆえ、風速の時間変動が大きい。つまり、高圧空気の風速が高ければ高いほど、風速の時間変動量が大きくなる。
【００４６】
この現象によって、第一ノズル１３および第二ノズル１４のみから高圧空気を吹出すように設定した場合は、各ノズルから吹出す高圧空気の平均風速が高くなるため、風速の時間変動が大きくなる。
【００４７】
一般的に、乱流の程度つまり風速の時間変動が大きければ大きいほど、同一平均風速における放熱量が高いことが知られている。
【００４８】
それゆえ、この気流によって、強い涼感を提供する受風域が狭い冷風を創出することが可能になる。例えば、エアコンが十分に効いていない、あるいはエアコンが無い環境下などにおいて、迅速な涼感を必要としている使用者には、この風質を選択することが望まれる。
【００４９】
その一方で、第一ノズル１３および第二ノズル１４に加えて第三ノズル１５および第四ノズル１６からも高圧空気を吹出すように設定した場合は、各ノズルから吹出す高圧空気の平均風速が低くなるため、風速の時間変動が小さくなる。
【００５０】
先述とは反対に、一般的に、乱流の程度つまり風速の時間変動が小さければ小さいほど、同一平均風速における放熱量が低いことが知られている。
【００５１】
それゆえ、この気流によって、低い涼感を提供する受風域が広い弱冷風を創出することが可能になる。例えば、エアコンが十分に効いた環境下において、迅速な涼感を必要としていない（複数の）使用者には、この風質を選択することが望まれる。
【００５２】
つまり、回転ダンパ２１によって高圧空気を吹出すノズルを選択することで、使用者が望む風質に変更することが可能になる。
【００５３】
なお、本実施の形態では、高圧空気発生部２および接続路４を箱体に形成しているが、形状に特に制限は無い。
【００５４】
また、本実施の形態では、吸込口５を矩形状に形成しているが、十分に空気を吸い込むことができれば、形状に特に制限は無い。
【００５５】
また、本実施の形態では、第一ノズル１３、第二ノズル１４、第三ノズル１５および第四ノズル１６の全てのノズルのスリット１１の短手方向の幅を５．５ｍｍに設定しているが、特に制限は無い。ただし、それぞれのノズルのスリット１１の長手方向の幅や高圧空気発生部２の送風性能にも依存するが、使用者が一定の流速を有する気流を享受するためには、２０ｍｍ程度以下に設定するのが望ましい。
【００５６】
また、本実施の形態では、第一ノズル１３、第二ノズル１４、第三ノズル１５および第四ノズル１６全てのノズルの吹出し方向を定めるために同一の吹出角度１７を設けているが、同一である必要は無い。ただし、第一ノズル１３および第二ノズル１４の吹出角度１７を十分に小さくした場合は、広範囲の受風域を形成することができないため、一定の角度以上に設定することが望まれる。また、第三ノズル１５および第四ノズル１６の吹出角度１７は、第一ノズル１３および第二ノズル１４の吹出角度１７と同等もしくは大きくすることが望まれる。これによって、弱冷風の風質を選択した場合の受風域を大きくすることが可能になる。
【００５７】
また、本実施の形態の図１では、第一ノズル１３、第二ノズル１４、第三ノズル１５および第四ノズル１６は、いずれも４個のスリット１１を一列にして設けているが、４個である必要はない。ただし、スリット１１の個数が多ければ多いほど、隣接する高圧気流同士が集まりにくくなり、広い受風域を形成することができるため、ノズルは３個以上を一列に配置することが望ましい。
【００５８】
また、本実施の形態では、ダクト３を３本で構成しているが、ダクト３の本数が３本である必要は無い。ダクト３は２本としても良い。この場合、第一ノズル１３と第三ノズル１５、第二ノズル１４と第四ノズル１６をそれぞれのダクトに設けることで、それぞれのノズル間で挟まれた空間を流れる誘引気流３３の速度勾配が低減され、先述の現象によって乱流の程度を抑制することが可能になる。
【００５９】
また、本実施の形態では、回転ダンパ２１を駆動電動機２２により駆動しているが、送風装置１前縁などに回転ダンパ２１に連結されたレバーを突出させることで手動にしても良く、軽い力で吹出方向を可変することができる。
【００６０】
また、本実施の形態では、スリット１１が送風装置１の設置面１２に対して垂直になるような構成としているが、スリット１１が送風装置１の設置面１２に対して平行になるような構成にしてもよく、この場合は上下方向に風向きを可変できる構成となる。なお、スリット１１が設置面１２に対して一定の角度を有して傾いているような構成にしてもよい。
【産業上の利用可能性】
【００６１】
本発明にかかる送風装置は、風質可変手段によって各ノズルが吹出す高圧空気の風量比を調節することで冷風と弱冷風の度合いを調節することとなり、使用者が好みに応じて風質を調節できる送風装置として有用である。
【符号の説明】
【００６２】
１    送風装置
２    高圧空気発生部
３    ダクト
４    接続路
５    吸込口
６    羽根車
７    電動機
８    中心ダクト
９    左方ダクト
１０    右方ダクト
１１    スリット
１２    設置面
１３    第一ノズル
１４    第二ノズル
１５    第三ノズル
１６    第四ノズル
１７    吹出角度
１８    中心軸
１８ａ    直線
１９    ダクト内連通口
２０    風質可変手段
２１    回転ダンパ
２２    駆動電動機
３１    高圧気流
３２    受風域
３３    誘引気流
３４    外側領域
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザー
１３４    入口
１４４    出口
１４８    ガイド部分
【図１】
2018053764.tif 000003
【図２】
2018053764.tif 000004
【図３】
2018053764.tif 000005
【図４】
2018053764.tif 000006
【図５】
2018053764.tif 000007
【図６】
2018053764.tif 000008
【図７】
2018053764.tif 000009
【図８】
2018053764.tif 000010